(57)【要約】【課題】本来の機能である弾性支持機能、牽引機能、緩衝機能を低下させることなく、省スペースでダイナミックダンパを設置可能とする。【解決手段】鉄道車両用ゴムブッシュ１は、アウタ部材２と、アウタ部材２の内側でアウタ部材２と略同軸上に配置されるインナ部材３と、アウタ部材２とインナ部材３とを互いに連結すると共に、鉄道車両への取付状態で荷重が入力する前後方向を除いてアウタ部材２の周方向の上下２箇所で分離している弾性支持部材４と、弾性支持部材４の空隙部１０，１０に配置され、ダイナミックダンパ２０を構成するマス部材５とを含んでなる。【選択図】図２
2020143698.tif 000002
【特許請求の範囲】
【請求項１】
筒状のアウタ部材と、
前記アウタ部材の内側に配置される筒状又は軸状のインナ部材と、
前記アウタ部材と前記インナ部材とを互いに連結すると共に、前記アウタ部材の周方向の少なくとも１箇所に空隙部を有する弾性支持部材と、
前記弾性支持部材の前記空隙部に配置され、ダイナミックダンパを構成するマス部材と、
を含んでなる鉄道車両用ゴムブッシュ。
【請求項２】
前記インナ部材は、前記アウタ部材と略同軸上に配置されることを特徴とする請求項１に記載の鉄道車両用ゴムブッシュ。
【請求項３】
前記空隙部は、鉄道車両への取付状態で荷重が入力する方向を除いて配置されていることを特徴とする請求項１又は２に記載の鉄道車両用ゴムブッシュ。
【請求項４】
前記空隙部は、前記アウタ部材の軸方向に貫通していることを特徴とする請求項１乃至３の何れかに記載の鉄道車両用ゴムブッシュ。
【請求項５】
前記マス部材は、振動部材を介して前記アウタ部材に固定されていることを特徴とする請求項１乃至４の何れかに記載の鉄道車両用ゴムブッシュ。
【請求項６】
前記振動部材は、前記弾性支持部材と同一材料であることを特徴とする請求項５に記載の鉄道車両用ゴムブッシュ。
【請求項７】
前記振動部材は、前記弾性支持部材と部分的に繋がっていることを特徴とする請求項６に記載の鉄道車両用ゴムブッシュ。
【請求項８】
前記空隙部及び前記マス部材は、複数配置されていることを特徴とする請求項１乃至７の何れかに記載の鉄道車両用ゴムブッシュ。
【請求項９】
前記マス部材は、前記アウタ部材の軸方向に伸びて形成されていることを特徴とする請求項１乃至８の何れかに記載の鉄道車両用ゴムブッシュ。
【請求項１０】
前記マス部材に、前記アウタ部材と同軸上に位置する環状プレートが取り付けられていることを特徴とする請求項１乃至９の何れかに記載の鉄道車両用ゴムブッシュ。
【請求項１１】
前記環状プレートは、前記アウタ部材の軸方向外側に配置されていることを特徴とする請求項１０に記載の鉄道車両用ゴムブッシュ。
【請求項１２】
前記環状プレートは、前記アウタ部材の軸方向で前記マス部材の両端部にそれぞれ取り付けられていることを特徴とする請求項１０又は１１に記載の鉄道車両用ゴムブッシュ。
【請求項１３】
前記インナ部材と前記マス部材との互いの対向面はそれぞれ平坦面であることを特徴とする請求項１乃至１２の何れかに記載の鉄道車両用ゴムブッシュ。
【請求項１４】
前記インナ部材における前記マス部材との対向面には凹部が形成され、前記マス部材における前記インナ部材との対向面には、前記凹部側へ突出する凸部が形成されていることを特徴とする請求項１乃至１２の何れかに記載の鉄道車両用ゴムブッシュ。
【発明の詳細な説明】
【技術分野】
【０００１】
本発明は、鉄道車両において、車体と台車とを繋ぐ牽引装置等に用いられる鉄道車両用ゴムブッシュに関する。
【背景技術】
【０００２】
鉄道車両では、台車側の振動が車体に伝わることを抑制するために、鉄道車両用ゴムブッシュが用いられる。この鉄道車両用ゴムブッシュは、車体と台車とを弾性的に支持する弾性支持機能と、牽引力を台車側に伝える牽引機能とを備えると共に、鉄道車両の発車時や停車時に台車側に牽引力が伝わる際に加わる力を緩衝する機能を備えている。
これらの本来の機能に加えて、走行時に発生する一定方向から伝わる特定の振動を絶縁する機能も備えたものが知られている。例えば特許文献１には、モータを含む被支持体を車体側の支持構造物に支持するブッシュ装置として、外筒（アウタ部材）と内筒（インナ部材）との間で外筒側に外側弾性体を、内筒側に内側弾性体をそれぞれ配置して両弾性体の間に中間板を設け、中間板にマス部材を取り付けることで、騒音の原因となる周波数の振動が車体側に伝達される特性をコントロール可能とした発明が記載されている。また、特許文献２には、内外筒間に弾性体を介在させた弾性ブッシュとして、軸線方向へ外筒、内筒若しくは弾性体の何れかのみに繋がる弾性部材を設け、その弾性部材にウエイト部材を設けてダイナミックダンパを形成した発明が記載されている。何れも特定周波数で共振するダイナミックダンパを設置することで特定の振動の絶縁を図るものである。
【先行技術文献】
【特許文献】
【０００３】
【特許文献１】特開２０１５−１７８８５４号公報
【特許文献２】実開平４−４５４１号公報
【発明の概要】
【発明が解決しようとする課題】
【０００４】
引用文献１，２のブッシュでは、ダイナミックダンパを構成するマス部材（ウエイト部材）が外筒及び内筒の軸方向外側に配置されているため、コンパクト化を阻害し、設置場所によっては取付ができないおそれがある。
【０００５】
そこで、本発明は、本来の機能である弾性支持機能、牽引機能、緩衝機能を低下させることなく、省スペースでダイナミックダンパが設置可能な鉄道車両用ゴムブッシュを提供することを目的としたものである。
【課題を解決するための手段】
【０００６】
上記目的を達成するために、請求項１に記載の発明は、筒状のアウタ部材と、アウタ部材の内側に配置される筒状又は軸状のインナ部材と、アウタ部材とインナ部材とを互いに連結すると共に、アウタ部材の周方向の少なくとも１箇所に空隙部を有する弾性支持部材と、弾性支持部材の空隙部に配置され、ダイナミックダンパを構成するマス部材と、を含んでなることを特徴とする。
なお、本発明において、インナ部材の「筒状」は、周方向の全周で繋がる形態に限らず、横断面が半円状や円弧状となる複数の部材を組み合わせたり、横断面Ｃ字状の部材を用いたりすることで、周方向の一部が部分的に分断された形態も含む。
請求項２に記載の発明は、請求項１の構成において、インナ部材は、アウタ部材と略同軸上に配置されることを特徴とする。
なお、ここでの「略同軸」とは、軸心が一致する場合を含んで軸心間に僅かな誤差がある場合を許容する趣旨である。
請求項３に記載の発明は、請求項１又は２の構成において、空隙部は、鉄道車両への取付状態で荷重が入力する方向を除いて配置されていることを特徴とする。
請求項４に記載の発明は、請求項１乃至３の何れかの構成において、空隙部は、アウタ部材の軸方向に貫通していることを特徴とする。
請求項５に記載の発明は、請求項１乃至４の何れかの構成において、マス部材は、振動部材を介してアウタ部材に固定されていることを特徴とする。
請求項６に記載の発明は、請求項５の構成において、振動部材は、弾性支持部材と同一材料であることを特徴とする。
請求項７に記載の発明は、請求項６の構成において、振動部材は、弾性支持部材と部分的に繋がっていることを特徴とする。
請求項８に記載の発明は、請求項１乃至７の何れかの構成において、空隙部及びマス部材は、複数配置されていることを特徴とする。
請求項９に記載の発明は、請求項１乃至８の何れかの構成において、マス部材は、アウタ部材の軸方向に伸びて形成されていることを特徴とする。
請求項１０に記載の発明は、請求項１乃至９の何れかの構成において、マス部材に、アウタ部材と同軸上に位置する環状プレートが取り付けられていることを特徴とする。
なお、本発明において「環状」とは、全周に亘って分断されないループ状は勿論、部分的に分断されるＣ字状も含む。
請求項１１に記載の発明は、請求項１０の構成において、環状プレートは、アウタ部材の軸方向外側に配置されていることを特徴とする。
請求項１２に記載の発明は、請求項１０又は１１の構成において、環状プレートは、アウタ部材の軸方向でマス部材の両端部にそれぞれ取り付けられていることを特徴とする。
請求項１３に記載の発明は、請求項１乃至１２の何れかの構成において、インナ部材とマス部材との互いの対向面はそれぞれ平坦面であることを特徴とする。
請求項１４に記載の発明は、請求項１乃至１２の何れかの構成において、インナ部材におけるマス部材との対向面には凹部が形成され、マス部材におけるインナ部材との対向面には、凹部側へ突出する凸部が形成されていることを特徴とする。
【発明の効果】
【０００７】
請求項１に記載の発明によれば、弾性支持部材に設けた空隙部に、ダイナミックダンパを構成するマス部材を配置するので、本来の機能である弾性支持機能、牽引機能、緩衝機能を低下させることなく、省スペースでダイナミックダンパが設置可能となる。
請求項２に記載の発明によれば、請求項１の効果に加えて、インナ部材は、アウタ部材と略同軸上に配置されるので、空隙部を除く全方向に弾性支持部材が均等に配置され、力や振動の入力方向が変わっても弾性支持機能や緩衝機能等に偏りがなくなる。
請求項３に記載の発明によれば、請求項１又は２の効果に加えて、空隙部は、鉄道車両への取付状態で荷重が入力する方向を除いて配置されるので、空隙部を設けても弾性支持機能や緩衝機能等を損なうことがない。
請求項４に記載の発明によれば、請求項１乃至３の何れかの効果に加えて、空隙部は、アウタ部材の軸方向に貫通しているので、空隙部が広く確保できてマス部材の形状の設計自由度が高まる上、マス部材の取付や取り外しも容易に行える。
請求項５に記載の発明によれば、請求項１乃至４の何れかの効果に加えて、マス部材は、振動部材を介してアウタ部材に固定されているので、空隙部内でダイナミックダンパをコンパクトに形成可能となる。
請求項６に記載の発明によれば、請求項５の効果に加えて、振動部材を、弾性支持部材と同一材料としているので、鉄道車両用ゴムブッシュが低コストで製造可能となる。
請求項７に記載の発明によれば、請求項６の効果に加えて、振動部材は、弾性支持部材と部分的に繋がっているので、製造工程も合理化でき、短時間で製造可能となる。
請求項８に記載の発明によれば、請求項１乃至７の何れかの効果に加えて、空隙部及びマス部材は、複数配置されているので、ダイナミックダンパによる振動の絶縁性能が良好となる。
請求項９に記載の発明によれば、請求項１乃至８の何れかの効果に加えて、マス部材は、アウタ部材の軸方向に伸びて形成されているので、必要な質量が確保しやすくなる。
請求項１０に記載の発明によれば、請求項１乃至９の何れかの効果に加えて、マス部材に、アウタ部材と同軸上に位置する環状プレートが取り付けられているので、環状プレートの質量や形状の選択により、対応する固有振動数が容易に調整可能となる。
請求項１１に記載の発明によれば、請求項１０の効果に加えて、環状プレートは、アウタ部材の軸方向外側に配置されているので、環状プレートの取付や取り外しがしやすくなる。
請求項１２に記載の発明によれば、請求項１０又は１１の効果に加えて、環状プレートは、アウタ部材の軸方向でマス部材の両端部にそれぞれ取り付けられているので、マス部材が振動部材から剥離したり、振動部材がアウタ部材から剥離したりしても、両端の環状プレートによって落下が防止される。
請求項１３に記載の発明によれば、請求項１乃至１２の何れかの効果に加えて、インナ部材とマス部材との互いの対向面はそれぞれ平坦面となっているので、空隙部を広くしてマス部材を配置するスペースを確保することができる。
請求項１４に記載の発明によれば、請求項１乃至１２の何れかの効果に加えて、インナ部材におけるマス部材との対向面には凹部が形成され、マス部材におけるインナ部材との対向面には、凹部側へ突出する凸部が形成されているので、空隙得内でのマス部材の形状を大きく確保できる。
【図面の簡単な説明】
【０００８】
【図１】鉄道車両用ゴムブッシュの斜視図である。
【図２】鉄道車両用ゴムブッシュの説明図で、（Ａ）が正面、（Ｂ）が側面、（Ｃ）が平面をそれぞれ示す。
【図３】（Ａ）は図２のＡ−Ａ線断面図、（Ｂ）はＢ−Ｂ線断面図である。
【図４】環状プレートを用いない鉄道車両用ゴムブッシュの変更例の斜視図である。
【図５】振動部材と弾性支持部材とを一体成型した変更例を示す横断面図である。
【図６】空隙部を１つとした変更例を示す横断面図である。
【図７】インナ部材、マス部材、振動部材の変更例を示す横断面図である。
【発明を実施するための形態】
【０００９】
以下、本発明の実施の形態を図面に基づいて説明する。
図１は、鉄道車両用ゴムブッシュ（以下単に「ゴムブッシュ」という。）の一例を示す斜視図、図２（Ａ）は正面図、同図（Ｂ）は側面図、同図（Ｃ）は平面図である。
ここでのゴムブッシュ１は、車体と台車とを１本の牽引リンクで繋ぐ牽引装置において、牽引リンクの両端にそれぞれ緩衝装置として使用されるもので、図１での左下から右上への矢印を車両の進行方向とし、右上を前方として説明する。上下の矢印は上下方向、左上から右下への矢印は左右方向となる。
このゴムブッシュ１は、筒状のアウタ部材２と、アウタ部材２の内側に同軸で配置され、アウタ部材２から軸方向へ左右両端を突出させた軸状のインナ部材３と、アウタ部材２とインナ部材３との間で両者を弾性的に連結する弾性支持部材４と、アウタ部材２とインナ部材３との間に配置されるマス部材５，５とを含んでなる。アウタ部材２、インナ部材３、マス部材５は炭素鋼等の金属製、弾性支持部材４は天然ゴム等のゴム製で、上記牽引装置では、アウタ部材２が牽引リンクの端部に連結され、インナ部材３が、牽引リンクの一端側では車体側の中心ピンに、他端側では台車にそれぞれ連結される。
【００１０】
インナ部材３は、図３に示すように、アウタ部材２の内側に位置して上下に一対の平行な平坦面７，７を備えた横断面長円状の中央部６と、アウタ部材２から左右外側に突出し、前後に貫通する透孔９，９を備えた横断面四角形状の連結部８，８とからなる。但し、中央部６はアウタ部材２よりも軸方向にやや長く形成されて、左右両端をアウタ部材２よりも外側に突出させている。
弾性支持部材４は、アウタ部材２の内周面とインナ部材３の外周面とに接着されているが、インナ部材３の中央部６の平坦面７，７に対向する上下の内周面には接着されておらず、平坦面７，７の上下に薄肉状に接着されている。よって、弾性支持部材４の上下には、左右両端が軸方向に貫通する２つの空隙部１０，１０が、インナ部材３の中央部６を中心とした点対称位置に形成される。
マス部材５は、平坦面７と平行な上下辺を有する横断面横長矩形状の板状体で、上下の空隙部１０，１０内にそれぞれ配置される。上側の空隙部１０では、アウタ部材２の内周面の上側に接着される振動部材１１の下面に接着されて弾性支持部材４と非接触で吊り下げ支持され、下側の空隙部１０では、アウタ部材２の内周面の下側に接着される振動部材１１の上面に接着されて弾性支持部材４と非接触で持ち上げ支持されている。振動部材１１は弾性支持部材４と同じ材料で形成されている。
【００１１】
また、マス部材５も、アウタ部材２よりも軸方向にやや長く（但し、インナ部材３の中央部６よりも短い）形成されて、左右両端をアウタ部材２よりも外側に突出させており、上下及び前後の中央部分には、左右方向に貫通する取付孔１２が形成されている。
マス部材５の左右両端には、一対の環状プレート１３，１３が取り付けられている。この環状プレート１３は、外径がアウタ部材２の内径よりも小さく、内径がインナ部材３の中央部６の円形部分の外径よりも大きい円形の外形状を有し、内周縁における中央部６の平坦面７，７に対向する上下部位は、平坦面７と平行な直線となって径方向の幅が大きい幅広部１４，１４をそれぞれ形成している。この幅広部１４，１４に、マス部材５，５の取付孔１２，１２に左右方向でオーバーラップする小孔１６を備えた半円状の取付片１５，１５がそれぞれ対向状に突設されている。
【００１２】
ここでは右側の環状プレート１３の上下において、それぞれボルト１７，１７を取付片１５，１５の小孔１６，１６及びマス部材５，５の取付孔１２，１２に貫通させて、左側の環状プレート１３の取付片１５，１５の小孔１６，１６から突出させた端部にナット１８，１８を締結することで、左右の環状プレート１３，１３は上下のマス部材５，５と一体に連結される。
こうしてアウタ部材２とインナ部材３との間には、ボルト１７及びナット１８を含む左右の環状プレート１３，１３と共に上下のマス部材５，５を振動部材１１，１１で弾性支持するダイナミックダンパ２０が形成される。このダイナミックダンパ２０の固有振動数は、環状プレート１３の厚みや材質等の選択によって設定できる。
環状プレート１３が１つのマス部材５にのみ連結されると、環状プレート１３が振り子のように揺動してしまい、ダイナミックダンパの機能が低下するが、ここでは環状プレート１３が上下２つのマス部材５，５に連結されているので、振幅が安定し、一定方向からの振動に好適に対応可能となる。
【００１３】
以上の如く構成されたゴムブッシュ１においては、前述のようにアウタ部材２が牽引リンクの端部に、インナ部材３の連結部８，８が台車にそれぞれ連結される取付状態では、台車に発生する振動が弾性支持部材４によって減衰される。特に、ダイナミックダンパ２０では、牽引リンクからインナ部材３へ前後方向に入力される振動に対し、特定周波数で共振するように固有振動数を設定すれば、ダイナミックダンパ２０における振動部材１１とマス部材５と環状プレート１３との同時振動により、アウタ部材２から車体側への振動を絶縁することができる。ここでは弾性支持部材４に空隙部１０，１０が形成されていても、上下に配置されて振動の入力方向である前後方向と一致していないため、空隙部１０，１０の影響はなく、弾性支持部材４による緩衝機能は損なわれない。
【００１４】
このように、上記形態のゴムブッシュ１によれば、筒状のアウタ部材２と、アウタ部材２の内側に配置される軸状のインナ部材３と、アウタ部材２とインナ部材３とを互いに連結すると共に、アウタ部材２の周方向の上下２箇所に空隙部１０，１０を有する弾性支持部材４と、弾性支持部材４の空隙部１０，１０に配置され、ダイナミックダンパ２０を構成するマス部材５と、を含んでなることで、本来の機能である弾性支持機能、牽引機能、緩衝機能を低下させることなく、省スペースでダイナミックダンパ２０が設置可能となる。
【００１５】
特にここでは、インナ部材３は、アウタ部材２と同軸上に配置されるので、空隙部１０を除く全方向に弾性支持部材４が均等に配置され、力や振動の入力方向が変わっても弾性支持機能や緩衝機能等に偏りがなくなる。
また、空隙部１０は、鉄道車両への取付状態で荷重が入力する方向を除いて配置されるので、空隙部１０を設けても弾性支持機能や緩衝機能等を損なうことがない。
さらに、空隙部１０は、アウタ部材２の軸方向に貫通しているので、空隙部１０が広く確保できてマス部材５の形状の設計自由度が高まる上、マス部材５の取付や取り外しも容易に行える。
【００１６】
一方、マス部材５は、振動部材１１を介してアウタ部材２に固定されているので、空隙部１０内でダイナミックダンパ２０をコンパクトに形成可能となる。
また、振動部材１１を、弾性支持部材４と同一材料としているので、ゴムブッシュ１が低コストで製造可能となる。
さらに、空隙部１０及びマス部材５は、複数（ここではインナ部材３を中心とした点対称位置に２つ）配置されているので、ダイナミックダンパ２０による振動の絶縁性能が良好となる。
加えて、マス部材５は、アウタ部材２の軸方向に伸びて形成されているので、必要な質量が確保しやすくなる。
【００１７】
そして、マス部材５に、アウタ部材２と同軸上に位置する環状プレート１３が取り付けられていることで、環状プレート１３の質量や形状の選択により、対応する固有振動数が容易に調整可能となる。
また、環状プレート１３は、アウタ部材２の軸方向外側に配置されていることで、環状プレート１３の取付や取り外しがしやすくなる。
さらに、環状プレート１３は、アウタ部材２の軸方向でマス部材５の両端部にそれぞれ取り付けられているので、マス部材５が振動部材１１から剥離したり、振動部材１１がアウタ部材２から剥離したりしても、両端の環状プレート１３，１３によって落下が防止される。
加えて、インナ部材３とマス部材５との互いの対向面はそれぞれ平坦面７となっているので、空隙部１０を広くしてマス部材５を配置するスペースを確保することができる。
【００１８】
なお、環状プレートは、上記形態に限らず、厚みを変えたり、取り付ける枚数を増やしたりしても差し支えない。外形も円形に限らず、長円形や楕円形、多角形等も採用できる。環状プレートの外径をアウタ部材の内径より大きくしたり当該内径と等しくしたりしてもよい。また、環状プレートは、全周に亘って分断されないループ状に限らず、部分的に分断されるＣ字状であってもよい。
さらに、環状プレートは、弾性支持部材の左右の長さによってはアウタ部材の軸方向内側に収まる大きさとしてアウタ部材の軸方向内側に配置することもできる。質量や形状がそれぞれ異なる環状プレートを左右別々に取り付けることもできる。
加えて、左右両端に環状プレートを一対設ける上記形態に限らず、左右何れか一方にのみ取り付けてもよい。環状プレートの取付構造も、１本のボルトでなく、左右それぞれ異なるボルトをマス部材にねじ込むことで左右別々に着脱可能としてもよい。このような場合、マス部材の取付孔は貫通させずに有底のネジ孔等としてもよい。
【００１９】
但し、ゴムブッシュにおいて環状プレートは必須ではなく、図４に示すゴムブッシュ１Ａのように、上下のマス部材５，５と振動部材１１，１１のみでダイナミックダンパ２０Ａ，２０Ａを構成することもできる。この場合、各マス部材５の取付孔１２は省略してもよいし、取付孔を利用して質量が異なるブロック状や板状の別のマス部材を着脱可能としてもよい。
【００２０】
一方、空隙部でのマス部材の配設形態も上記形態に限らず、図５に示すゴムブッシュ１Ｂのように、振動部材１１と弾性支持部材４とがアウタ部材２の内周面で繋がるようにしてもよい。このように振動部材１１を弾性支持部材４と部分的に繋がる形状とすれば、製造工程も合理化でき、短時間で製造可能となる。この場合も環状プレート１３の形状を変えたり省略したり等、先の形態と同じ変更が可能である。
また、これと逆に、振動部材を弾性支持部材と異なる材料で成型しても差し支えない。ゴムに限らず、コイルバネ等で振動部材を形成することも可能である。
さらに、空隙部の数も上記形態に限らず、荷重の入力方向と異なっていれば数を増やしたり、周方向の長さを長くしたりしてもよい。図６に示すゴムブッシュ１Ｃのように、空隙部１０を１つのみ設けて、この空隙部１０内に配置される１つのマス部材５と振動部材１１とでダイナミックダンパ２０Ｂを構成することもできる。
加えて、空隙部を広く取れればインナ部材とマス部材との対向面は平坦面とせず、インナ部材の横断面を円形にしたりしてもよい。マス部材の横断面形状も矩形状以外に、正方形や円形、長円形や楕円形、多角形等、適宜変更可能である。
また、マス部材は、アウタ部材よりも軸方向に長くなる上記形態に限らず、アウタ部材よりも軸方向に短くしたり、アウタ部材と軸方向に同じ長さとしたりしてもよい。
【００２１】
図７は、インナ部材、マス部材、振動部材の形状を変更した一例を示すもので、このゴムブッシュ１Ｄでは、インナ部材３の前後面を平坦面とし、中央部６の上下面に、軸方向に伸びる横断面半円状の凹部３０，３０をそれぞれ形成している。また、上下のマス部材５，５における凹部３０，３０との対向面に、凹部３０側に膨出する横断面半円形の凸部３１，３１をそれぞれ形成している。一方、空隙部１０，１０を、アウタ部材２の径方向外側へ行くに従って周方向の幅が広くなるように拡開状に形成し、振動部材１１，１１も同様にアウタ部材２の径方向外側へ行くに従って周方向の幅が広くなるように拡開状に形成されている。
このようにインナ部材３側に凹部３０を、マス部材５に凹部３０側に突出する凸部３１をそれぞれ設ければ、空隙部１０内でのマス部材５の形状を大きく確保できる。振動部材１１もアウタ部材２側の幅が広くなることで、接着面積を広く確保できる。
なお、この変更例でも空隙部の数は増減してもよいし、凹部と凸部との形状を変更したりしてもよい。インナ部材の横断面形状における上下と前後の寸法は同じとしてもよいし、何れか一方を他方よりも長くしてもよい。インナ部材の前後面を先の形態のように半円形としてもよい。勿論マス部材に環状プレートを連結してもよい。
【００２２】
その他、各例において、荷重の入力方向に応じて空隙部の位置が入力方向と異なる位置に変更されることは当然である。
インナ部材も、軸状に限らず、周方向の全周で繋がる筒状としてもよいし、横断面が半円状や円弧状となる複数の部材を組み合わせたり、横断面Ｃ字状の部材を用いたりすることで、周方向の一部が部分的に分断された筒状としてもよい。
アウタ部材とインナ部材との軸心同士が僅かにずれる構造であっても必要な緩衝機能が得られれば許容できる。インナ部材をアウタ部材の軸心に対して大きく偏心して配置してもよい。
また、インナ部材の両端がアウタ部材から突出する上記形態に限らず、インナ部材がアウタ部材よりも軸方向に短い形態や、同じ長さの形態であってもよい。この場合、インナ部材を円筒状としてその内側に別の軸部材を挿入してもよい。
そして、ゴムブッシュの設置位置も、１本の牽引リンクに用いられる場合に限らず、例えば先の特許文献１に記載されるように、鉄道車両の車体において、車体とモータとの間に介在させたりることも可能である。
【符号の説明】
【００２３】
１，１Ａ，１Ｂ，１Ｃ，１Ｄ・・鉄道車両用ゴムブッシュ、２・・アウタ部材、３・・インナ部材、４・・弾性支持部材、５・・マス部材、６・・中央部、７・・平坦面、８・・連結部、１０・・空隙部、１１・・振動部材、１２・・取付孔、１３・・環状プレート、１７・・ボルト，１８・・ナット、２０，２０Ａ，２０Ｂ・・ダイナミックダンパ。
【図１】
2020143698.tif 000003
【図２】
2020143698.tif 000004
【図３】
2020143698.tif 000005
【図４】
2020143698.tif 000006
【図５】
2020143698.tif 000007
【図６】
2020143698.tif 000008
【図７】
2020143698.tif 000009